(57)【要約】      （修正有）【課題】人が洋服などの色を選ぶ際に参考となる情報を提供できるカラーコーディネイト支援装置を提供する。【解決手段】対象者からの要望に応じ操作された操作部からのデータを基に、予め複数のイメージから希望するイメージを選択する。当該選択されたイメージ対応付けられた色組み合わせパターン（シャツ、ネクタイ、ジャケットの色）を第１の表データを基に特定する。次に各色の下位分類色を、対象者の外見に関する項目の属性を基に決定する。そして、その結果を表示する。【選択図】図３
0003189529.tif 000002
【実用新案登録請求の範囲】
【請求項１】
予め複数のイメージから希望するイメージを選択するイメージ選択手段と、
予め決められた複数の服や身飾品からなる複数の要素についての上位分類色を各々規定した複数の色組み合わせパターンが規定されている場合に、前記複数の色組み合わせパターンと、前記イメージとの対応付けを示す第１の対応付け情報を記憶する第１の記憶手段と、
前記選択されたイメージに対応付けられた前記色組み合わせパターンを前記第１の対応付け情報を基に特定する色組み合わせパターン特定手段と、
対象者の外見に関して予め決められた項目の属性について、前記上位分類色と対応付けられた下位分類色を規定する第２の対応付け情報を記憶する第２の記憶手段と、
前記特定した色組み合わせパターンのそれぞれの要素の上位分類色と、対象者の外見に関する前記項目の属性と、前記第２の対応付け情報とを基に、前記特定した前記色組み合わせパターンが規定する前記複数の要素についての下位分類色を選択する色選択手段と
を有するカラーコーディネイト装置。
【考案の詳細な説明】
【技術分野】
【０００１】
本考案は、対象者に合う洋服などの色に関する情報を提供するカラーコーディネイト装置に関するものである。
【背景技術】
【０００２】
自分を良く見せたいという気持ちは皆持っている。
洋服などの色は、その人の良さ・個性を印象付けるのに大きな役割を果たしている。
【考案の開示】
【考案が解決しようとする課題】
【０００３】
しかしながら、どのような色の服を選べばよいかを知ることは非常に難しい。
【０００４】
本考案は、人が洋服などの色を選ぶ際に参考となる情報を提供できるカラーコーディネイト支援装置を提供することを目的とする。
【課題を解決するための手段】
【０００５】
上述した従来技術の問題点を解決し、上述した目的を達成するために、本考案のカラーコーディネイト装置は、予め複数のイメージから希望するイメージを選択するイメージ選択手段と、予め決められた複数の服や身飾品からなる複数の要素についての上位分類色を各々規定した複数の色組み合わせパターンが規定されている場合に、前記複数の色組み合わせパターンと、前記イメージとの対応付けを示す第１の対応付け情報を記憶する第１の記憶手段と、前記選択されたイメージに対応付けられた前記色組み合わせパターンを前記第１の対応付け情報を基に特定する色組み合わせパターン特定手段と、対象者の外見に関して予め決められた項目の属性について、前記上位分類色と対応付けられた下位分類色を規定する第２の対応付け情報を記憶する第２の記憶手段と、前記特定した色組み合わせパターンのそれぞれの要素の上位分類色と、対象者の外見に関する前記項目の属性と、前記第２の対応付け情報とを基に、前記特定した前記色組み合わせパターンが規定する前記複数の要素についての下位分類色を選択する色選択手段とを有する。
【考案の効果】
【０００６】
本考案によれば人が洋服などの色を選ぶ際に参考となる情報を提供するカラーコーディネイト支援装置を提供することができる。
【図面の簡単な説明】
【０００７】
【図１】図１は本考案の実施形態のカラーコーディネイト支援装置１の構成図である。
【図２】図２は図１に示すカラーコーディネイト支援装置で使用する表を説明するための図である。
【図３】図１に示すカラーコーディネイト支援装置の概念を説明するための図である。
【図４】図４は、本考案の実施形態で使用するヒアリングシートを説明するための図である。
【図５】図５は、本考案の実施形態で使用するヒアリングシートを説明するための図である。
【図６】図６は、カラーコーディネイト支援システムを用いて行うサービスの概要を示す図である。
【図７】図７は、カラーコーディネイト支援システムを用いて行うサービスの概要を示す図である。
【図８】図８は、カラーコーディネイト支援システムを用いて行うサービスの概要を示す図である。
【図９】図９は、カラーコーディネイト支援システムを用いて行うサービスの概要を示す図である。
【図１０】図１０は、カラーコーディネイト支援システムを用いて行うサービスの概要を示す図である。
【図１１】図１１は、カラーコーディネイト支援システムを用いて行うサービスの概要を示す図である。
【図１２】図１２は、カラーコーディネイト支援システムを用いて行うサービスの概要を示す図である。
【図１３】図１３は、カラーコーディネイト支援システムを用いて行うサービスの概要を示す図である。
【図１４】図１４は、カラーコーディネイト支援システムを用いて行うサービスの概要を示す図である。
【図１５】図１５は、カラーコーディネイト支援システムを用いて行うサービスの概要を示す図である。
【図１６】図１６は、カラーコーディネイト支援システムを用いて行うサービスの概要を示す図である。
【考案を実施するための形態】
【０００８】
以下、本考案のカラーコーディネイト支援装置の実施形態を説明する。
図１は本考案の実施形態のカラーコーディネイト支援システム１の構成図である。
図１に示すように、カラーコーディネイト支援システム１は、例えば、記憶装置１０、イメージ選択部２１、色組み合わせパターン特定部２３、色選択部２５を有する。
【０００９】
記憶装置１０は、第１の表データＩＣＴと、第２の表データＣＳＴとを記憶する。
第１の表データＩＣＴは、予め決められた複数の服や身飾品からなる複数の要素についての上位分類色を各々規定した複数の色組み合わせパターンが規定されている場合に、前記複数の色組み合わせパターンと、前記イメージとの対応付けを示す。
例えば、色組み合わせパターンは、ネクタイ、ワイシャツ、ジャケット（複数の要素）の各々について上位分類色を規定している。
ここで、上位分類色とは、赤、青、黄、茶等である。
図２（Ａ）は、第１の表データＩＣＴの一例であり、各イメージＩＭｘに対して、色組み合わせパターンＣＰが対応付けられている。
【００１０】
また、イメージには、例えば、協調性がある、真面目、判断力がある、おおらか、忍耐力がある、好奇心旺盛、誠実、温厚、活発、寛大、謙虚、努力家、負けず嫌い、聞き上手、平和主義、包容力がある、勇気がある、頼りがいがある、面倒見が良い、正直、向上心がある、責任感がある、発想力がある、忠誠心がある、行動力がある、常識がある、正義感がある、集中力がある、根気がある、慈悲深い、友達が多い、堅実、感受性が鋭い、義理堅い、一生懸命、セクシー、フットワークが良い、きれい好き、楽観的、チャレンジ精神がある、リーダシップがある、積極的、独創的、爽やか、優しい、礼儀正しい、機転が利く、明るい、ユーモアがある、ムードメーカー等がある。
【００１１】
また、第２の表データＣＳＴは、対象者の外見に関して予め決められた項目（肌、瞳、髪、体型）の属性について、前記上位分類色と対応付けられた下位分類色を規定する。
ここで、下位分類色とは、上記上位分類色の各々の下位の色として規定された色である。
例えば、青の下位の色には、青紫等がある。また、赤の下位の色には、朱色等がある。
図２（Ｂ）は、第２の表データＣＳＴの一例であり、各外見項目Ａｘに対して、下位分類色Ｃｘが対応付けられている。
【００１２】
イメージ選択部２１は、予め複数のイメージから希望するイメージを選択する。
【００１３】
色組み合わせパターン特定部２３は、イメージ選択部２１で選択されたイメージに対応付けられた前記色組み合わせパターンを第１の表データＩＣＴを基に特定する。
色選択部２５は、色組み合わせパターン特定部２３で特定した色組み合わせパターンのそれぞれの要素の上位分類色と、対象者の外見に関する前記項目の属性と第２の表データＣＳＴとを基に、前記特定した前記色組み合わせパターンが規定する前記複数の要素についての下位分類色を選択する。
【００１４】
図３は、図１に示すカラーコーディネイト支援システム１の処理の流れを説明するフローチャートである。
以下、各ステップを詳細に説明する。
なお、カラーコーディネイト支援システム１による処理を開始する前に、対象者に図３および図４に示すヒアリングシートに記入してもらう。
【００１５】
ステップＳＴ１：
イメージ選択部２１は、対象者からの要望に応じ操作された操作部からのデータを基に、予め複数のイメージから希望するイメージを選択する。
【００１６】
ステップＳＴ２：
色組み合わせパターン特定部２３は、イメージ選択部２１で選択されたイメージに対応付けられた色組み合わせパターンを第１の表データＩＣＴを基に特定する。
【００１７】
ステップＳＴ３：
色選択部２５は、色組み合わせパターン特定部２３で特定した色組み合わせパターンのそれぞれの要素の上位分類色と、対象者の外見に関する前記項目の属性と第２の表データＣＳＴとを基に、前記特定した前記色組み合わせパターンが規定する前記複数の要素についての下位分類色を選択する。
【００１８】
ステップＳＴ３で選択した下位分類色を用いた色組み合わせパターンに応じた画像を表示する。
【００１９】
以上説明したように、カラーコーディネイト支援システム１によれば、対象者が希望するイメージから、服装（ネクタイ、シャツ、ジャケット）の色組み合わせパターンに関する情報を容易に得ることができる。これにより、対象者が希望するイメージを相手に対して印象付ける服装を容易に選択することができる。
【００２０】
また、カラーコーディネイト支援システム１によれば、上記色組み合わせパターンで使用される色について、対象者の外見に関して予め決められた項目（肌、瞳、髪、体型等）の属性から最も適した下位分類色に関する情報を得ることができる。
【００２１】
図６〜図１６は、カラーコーディネイト支援システム１を用いて行うサービスの概要を示す図である。
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
例えば、イメージ選択部２１、色組み合わせパターン特定部２３、色選択部２５が規定する処理内容をコンピュータがプログラムを実行する形式で実現してもよい。
【産業上の利用可能性】
【００２２】
本考案は、カラーコーディネイト支援システムに適用可能である。
【符号の説明】
【００２３】
１…カラーコーディネイト支援システム
２１…イメージ選択部
２３…色組み合わせパターン特定部
２５…色選択部
ＩＣＴ…第１の表データ
ＣＳＴ…第２の表データ
【図１】
0003189529.tif 000003
【図２】
0003189529.tif 000004
【図３】
0003189529.tif 000005
【図４】
0003189529.tif 000006
【図５】
0003189529.tif 000007
【図６】
0003189529.tif 000008
【図７】
0003189529.tif 000009
【図８】
0003189529.tif 000010
【図９】
0003189529.tif 000011
【図１０】
0003189529.tif 000012
【図１１】
0003189529.tif 000013
【図１２】
0003189529.tif 000014
【図１３】
0003189529.tif 000015
【図１４】
0003189529.tif 000016
【図１５】
0003189529.tif 000017
【図１６】
0003189529.tif 000018
【手続補正書】
【提出日】平成26年1月8日(2014.1.8)
【手続補正２】
【補正対象書類名】明細書
【補正対象項目名】０００５
【補正方法】変更
【補正の内容】
【０００５】
上述した従来技術の問題点を解決し、上述した目的を達成するために、本考案のカラーコーディネイト装置は、予め複数のイメージから希望するイメージを選択するイメージ選択手段と、予め決められた複数の服や身飾品からなる複数の要素についての上位分類色を各々規定した複数の色組み合わせパターンと、前記イメージとの対応付けを示す第１の対応付け情報を記憶する第１の記憶手段と、前記選択されたイメージに対応付けられた前記色組み合わせパターンを前記第１の対応付け情報を基に特定する色組み合わせパターン特定手段と、対象者の外見に関して予め決められた項目の属性について、前記上位分類色と対応付けられた下位分類色を規定する第２の対応付け情報を記憶する第２の記憶手段と、前記特定した色組み合わせパターンのそれぞれの要素の上位分類色と、対象者の外見に関する前記項目の属性と、前記第２の対応付け情報とを基に、前記特定した前記色組み合わせパターンが規定する前記複数の要素についての下位分類色を選択する色選択手段とを有する。
【手続補正３】
【補正対象書類名】実用新案登録請求の範囲
【補正対象項目名】請求項１
【補正方法】変更
【補正の内容】
【請求項１】
予め複数のイメージから希望するイメージを選択するイメージ選択手段と、
予め決められた複数の服や身飾品からなる複数の要素についての上位分類色を各々規定した複数の色組み合わせパターンと、前記イメージとの対応付けを示す第１の対応付け情報を記憶する第１の記憶手段と、
前記選択されたイメージに対応付けられた前記色組み合わせパターンを前記第１の対応付け情報を基に特定する色組み合わせパターン特定手段と、
対象者の外見に関して予め決められた項目の属性について、前記上位分類色と対応付けられた下位分類色を規定する第２の対応付け情報を記憶する第２の記憶手段と、
前記特定した色組み合わせパターンのそれぞれの要素の上位分類色と、対象者の外見に関する前記項目の属性と、前記第２の対応付け情報とを基に、前記特定した前記色組み合わせパターンが規定する前記複数の要素についての下位分類色を選択する色選択手段と
を有するカラーコーディネイト装置。